(57)【要約】【課題】火薬の燃焼熱による可燃軸の燃焼及び火薬の燃焼中における火薬の爆燃を確実に防止し得るようにした玩具花火を提供する。【解決手段】可燃軸（１）に不燃物よりなる内側層（３）を固着し、該内側層上にケイ酸ソーダ層（５）を形成し、該ケイ酸ソーダ層上に火薬（７）を固着したことを特徴とする玩具花火。内側層は、多孔質の土と澱粉糊とを含むもの、或いは多孔質の土とケイ酸ソーダと澱粉糊とを含むものであってもよい。内側層に消火剤を混入してもよい。可燃軸（１）に多孔質の土と澱粉糊とを含む内側層（３）を固着し、該内側層上に消化剤（４）を塗着し、該消火剤上にケイ酸ソーダ層（５）を形成し、該ケイ酸ソーダ層上に火薬（７）を固着したことを特徴とする玩具花火。前記多孔質の土は好ましくは珪藻土である。【選択図】図２
2005273971.tif 000002
【特許請求の範囲】
【請求項１】
可燃軸に不燃物よりなる内側層を固着し、該内側層上にケイ酸ソーダ層を形成し、該ケイ酸ソーダ層上に火薬を固着したことを特徴とする玩具花火。
【請求項２】
前記内側層は多孔質の土と澱粉糊とを含むことを特徴とする請求項１に記載の玩具花火。
【請求項３】
前記内側層に消火剤を混入したことを特徴とする請求項１又は２に記載の玩具花火。
【請求項４】
可燃軸に多孔質の土と澱粉糊とを含む内側層を固着し、該内側層上に消火剤を塗着し、該消火剤上にケイ酸ソーダ層を形成し、該ケイ酸ソーダ層上に火薬を固着したことを特徴とする玩具花火。
【請求項５】
可燃軸に多孔質の土とケイ酸ソーダと澱粉糊とを含む内側層を固着し、該内側層上に火薬を固着したことを特徴とする玩具花火。
【請求項６】
前記多孔質の土は珪藻土であることを特徴とする請求項２〜５のいずれかに記載の玩具花火。
【発明の詳細な説明】
【技術分野】
【０００１】
本発明は、玩具花火に関するものであり、特に、安全性の観点から木製、竹製、紙製、合成樹脂製等の可燃軸が燃えないようにした玩具花火に係るものである。
【背景技術】
【０００２】
本出願人は、実開昭６２−８８１９９号公報及び実開平２−１２２９９６号公報において、軸に不燃材ないし不燃物を固着し、該不燃材ないし不燃物の表面に火薬を固着してなる玩具花火を提供している。
【０００３】
実開昭６２−８８１９９号公報における不燃材は、石綿粉を接着剤で固めてなるものである。
【０００４】
実開平２−１２２９９６号公報は、不燃物として、下記の耐火物のように、高温加熱用の器材として利用されている難融で化学的に安定な無機化合物を用いることを開示している。
【０００５】
酸化ジルコニウム、酸化マグネシウム、酸化チタン等の酸化鉱物系の耐火物
【０００６】
炭化ケイ素、炭化ホウ素等の炭化物系の耐火物
【０００７】
窒化ホウ素等の窒化物系の耐火物
【特許文献１】実開昭６２−８８１９９号公報
【特許文献２】実開平２−１２２９９６号公報
【発明の開示】
【発明が解決しようとする課題】
【０００８】
上記従来の玩具花火は、玩具花火１本当りについての使用可能な火薬量が安全性等の観点から法令により一定量以下に規制されているという状況の下で、軸と火薬との間に不燃材ないし不燃物を介在させることにより、火薬部を太く見せることに主眼を置いて開発されたものである。
【０００９】
換言すれば、上記従来の玩具花火は、可燃軸の燃焼を防止するということを主眼として開発されたものではない。その結果、実際の使用時には、可燃軸が燃えてしまうという問題が生じている。火薬の燃焼時に可燃軸が燃えた場合には、炭化した可燃軸が折れて落下し或いは飛ぶという危険が生ずるおそれがある。また、火薬と不燃材ないし不燃物との間に亀裂が生じ、火薬が燃焼時に爆燃するという問題も生じている。
【００１０】
本発明は、上記従来の玩具花火における上述の如き問題を解決し、火薬の燃焼熱による可燃軸の燃焼及び火薬の燃焼中における火薬の爆燃を確実に防止し得るようにした玩具花火を提供しようとしてなされたものである。
【課題を解決するための手段】
【００１１】
上記課題を解決するために、本発明は、下記の玩具花火を提供する。
【００１２】
（１）可燃軸に不燃物よりなる内側層を固着し、該内側層上にケイ酸ソーダ層を形成し、該ケイ酸ソーダ層上に火薬を固着したことを特徴とする玩具花火（請求項１）。
【００１３】
（２）前記内側層は多孔質の土と澱粉糊とを含むものである（請求項２）。
【００１４】
（３）  前記内側層に消火剤を混入する（請求項３）。
【００１５】
（４）可燃軸に多孔質の土と澱粉糊とを含む内側層を固着し、該内側層上に消火剤を塗着し、該消火剤上にケイ酸ソーダ層を形成し、該ケイ酸ソーダ層上に火薬を固着したことを特徴とする玩具花火（請求項４）。
【００１６】
（５）可燃軸に多孔質の土とケイ酸ソーダと澱粉糊とを含む内側層を固着し、該内側層上に火薬を固着したことを特徴とする玩具花火（請求項５）。
【００１７】
（６）前記多孔質の土は珪藻土である（請求項６）。
【００１８】
［発明の作用］
［請求項１の発明］
不燃物よりなる内側層は火薬の燃焼熱が可燃軸に伝わることを防止する。
【００１９】
ケイ酸ソーダ層（ケイ酸ソーダよりなる層）は、不燃物であり、接着力を有する。
【００２０】
ケイ酸ソーダは、内側層上に塗着する際には液状であるが、塗着後、乾燥したときには固まってガラス状の層を形成する。このガラス状のケイ酸ソーダ層は、内側層を密閉することにより、燃焼中の火薬に対する内側層を介しての、即ち内側からの、空気の供給を遮断する。従って、火薬の燃焼が適度に制御され、火薬の燃焼速度が低下する。また、ケイ酸ソーダ層は、内側層を密閉することにより、可燃軸に対する空気の供給を遮断し、可燃軸の燃焼を妨げる。
【００２１】
また、ケイ酸ソーダ層は、火薬の燃焼熱により溶融し、火薬の燃焼熱を吸収して火薬の燃焼速度を下げる。
【００２２】
以上により、火薬の燃焼時における可燃軸の燃焼が防止される。
【００２３】
ケイ酸ソーダ層は、火薬の燃焼熱により溶融し、火薬とケイ酸ソーダ層との間或いはケイ酸ソーダ層自体に亀裂が生じていた場合でもその亀裂を自ら修復し、該亀裂に起因する火薬の爆燃を防止する。
【００２４】
火薬の燃焼後、溶融していたケイ酸ソーダ層は再び固形化し、可燃軸が折れて落下し又は飛ぶことを防止する。
【００２５】
［請求項２の発明］
内側層における多孔質の土は、接着力を有しないが、不燃物である。内側層における澱粉糊は内側層に接着力を与える。多孔質の土と澱粉糊とを含む内側層は、形成が極めて容易である。
【００２６】
ケイ酸ソーダ層のケイ酸ソーダは、内側層における多孔質の土の細孔中に入り込んで内側層に密着する。
【００２７】
［請求項３の発明］
内側層に消火剤を混入したため、可燃軸の燃焼は確実に防止される。
【００２８】
［請求項４の発明］
多孔質の土と澱粉糊とを含む内側層上に消火剤を塗着したため、可燃軸の燃焼は確実に防止される。
【００２９】
［請求項５の発明］
ケイ酸ソーダは液状であり、多孔質の土とケイ酸ソーダと澱粉糊とを含む内側層を可燃軸上に固着する作業は容易である。多孔質の土はケイ酸ソーダを吸着する。可燃軸上に塗着後、ケイ酸ソーダを含む内側層は乾燥してガラス状となり、強度が向上する。火薬の燃焼時、内側層のケイ酸ソーダは、火薬の燃焼熱により溶融し、吸熱作用により可燃軸の燃焼を防止する。また、火薬の燃焼時、内側層のケイ酸ソーダは、火薬の燃焼熱により溶融し、火薬と内側層との間或いは内側層自体に亀裂が生じていた場合でもその亀裂を自ら修復し、該亀裂に起因する火薬の爆燃を防止する。火薬の燃焼後、溶融していた内側層のケイ酸ソーダは再び固形化し、可燃軸が折れて落下し又は飛ぶことを防止する。
【００３０】
［請求項６の発明］
珪藻土は無数の細孔を有しているため、ケイ酸ソーダを好ましく吸着する。また、珪藻土は、軽量であって断熱性、不燃性、耐火性等に優れているため、珪藻土と澱粉糊とを含む内側層は優れた軽量性、断熱性、不燃性、耐火性等を有する。
【発明の効果】
【００３１】
以上述べたように、本発明によれば、火薬の燃焼熱による可燃軸の燃焼及び火薬の燃焼中における火薬の爆燃が確実に防止される。
【発明を実施するための最良の形態】
【００３２】
符号１に示すものは玩具花火の可燃軸である。可燃軸１は、例えば、木、竹、紙、合成樹脂等の可燃材料により形成されている。
【００３３】
可燃軸１の一端には不燃物よりなる内側層３を固着する。
【００３４】
図２に示す事例における不燃物よりなる内側層３は、多孔質の土と澱粉糊とを含むものである。即ち、図２に示す事例においては、可燃軸１の一端には多孔質の土と澱粉糊とを含む内側層３を固着し、該内側層３上にケイ酸ソーダ層（ケイ酸ソーダの層）５を形成し、該ケイ酸ソーダ層５上に火薬７を固着している。
【００３５】
多孔質の土と澱粉糊とケイ酸ソーダとの割合は、一例として、多孔質の土８０重量部、澱粉糊１０重量部、ケイ酸ソーダ１０重量部とする。
【００３６】
内側層３は、多孔質の土と澱粉糊とよりなるものであってもよいが、多孔質の土と澱粉糊とケイ酸ソーダとよりなるものであっても差し支えない。
【００３７】
内側層３には、消火剤を混入してもよい。即ち、この場合には、内側層３は多孔質の土と澱粉糊と消火剤等とにより構成され、その割合は、一例として、多孔質の土８０重量部、澱粉糊１０重量部、消火剤１０重量部とする。
【００３８】
図３に示す事例においては、可燃軸１の一端には多孔質の土と澱粉糊とよりなる内側層３を固着し、該内側層３上に消火剤４を塗着し、該消火剤４上にケイ酸ソーダ層５を形成し、該ケイ酸ソーダ層５上に火薬７を固着している。
【００３９】
多孔質の土と澱粉糊と消火剤とケイ酸ソーダとの割合は、一例として、多孔質の土８０重量部、澱粉糊１０重量部、消火剤１０重量部、ケイ酸ソーダ１０重量部とする。
【００４０】
内側層３に混入し又は内側層３上に塗着する消火剤は、例えば、リン酸水素アンモニウム、炭酸水素ナトリウム等とする。
【００４１】
図４に示す事例においては、可燃軸１の一端には多孔質の土とケイ酸ソーダと澱粉糊とを含む内側層３を固着し、該内側層３上に火薬７を固着している。
【００４２】
多孔質の土と澱粉糊と消火剤とケイ酸ソーダとの割合は、一例として、多孔質の土８０重量部、澱粉糊１０重量部、ケイ酸ソーダ１０重量部とする。
【００４３】
上記いずれの場合においても、内側層３における多孔質の土としては、好ましくは珪藻土を用いる。
【図面の簡単な説明】
【００４４】
【図１】本発明による玩具花火の外観を示す斜視図である。
【図２】同上玩具花火の一例を示す断面図である。
【図３】同上玩具花火の別の一例を示す断面図である。
【図４】同上玩具花火の更に別の一例を示す断面図である。
【符号の説明】
【００４５】
１  可燃軸
３  内側層
４  消火剤
５  ケイ酸ソーダ層
７  火薬
【図１】
2005273971.tif 000003
【図２】
2005273971.tif 000004
【図３】
2005273971.tif 000005
【図４】
2005273971.tif 000006